(57)【要約】【課題】ユーザが他人に見られたくないような映像を容易に見られないようにすることが可能であり、かつ撮影した機器で再生する場合はパスワード入力などの特別な手続きなしに再生することが可能な着脱可能な記録媒体を備えたビデオカメラを提供する。【解決手段】撮像した画像情報を着脱可能な記録媒体１０８に記録するビデオカメラにおいて、ユーザの選択操作により一般ユーザモード情報又は特定ユーザモード情報を受付けるモード選択手段１１１と、画像情報を保存する記録媒体１０８に、モード選択手段により受付けた特定ユーザモード情報を記録する不正再生禁止記録手段と、記録媒体１０８に記録された特定ユーザモード情報と、入力された特定ユーザモード情報とを比較して一致するときに、記録媒体１０８に記録された画像情報を再生する特定ユーザ再生手段とを有する。【選択図】        図１
2005005754.tif 000002
【特許請求の範囲】
【請求項１】
撮像した画像情報を着脱可能な記録媒体に記録するビデオカメラにおいて、
一般ユーザモードと特定ユーザモードとを選択するモード選択手段と、該モード選択手段により選択した特定ユーザモードにて記録された画像情報が保存された記録媒体を他のビデオカメラでの再生を禁止する手段とを有することを特徴とするビデオカメラ。
【請求項２】
撮像した画像情報を着脱可能な記録媒体に記録するビデオカメラにおいて、
ユーザの選択操作により一般ユーザモード情報又は特定ユーザモード情報を受付けるモード選択手段と、画像情報を保存する記録媒体に、モード選択手段により受付けた特定ユーザモード情報を記録する不正再生禁止記録手段と、記録媒体に記録された特定ユーザモード情報と、入力された特定ユーザモード情報とを比較して一致するときに、前記記録媒体に記録された画像情報を再生する特定ユーザ再生手段とを有することを特徴とするビデオカメラ。
【請求項３】
請求項２記載のビデオカメラにおいて、
上記不正再生禁止記録手段は、特定ユーザモード選択時に、記録媒体の画像情報ファイルのヘッダコードの値を変更するヘッダコード値変更手段と、該ヘッダコード値変更手段によるヘッダコードの値の変更を可能とするパスワード入力手段とから構成されることを特徴とするビデオカメラ。
【請求項４】
請求項３記載のビデオカメラにおいて、
上記特定ユーザモード選択時に撮影する際、画像情報ファイルのヘッダコード値を、デフォルト設定記憶部から取得するデフォルト値取得手段を有することを特徴とするビデオカメラ。
【請求項５】
請求項２乃至４のいずれか１項に記載のビデオカメラにおいて、
特定ユーザモードにて撮影された画像情報ファイルを特定ユーザモードのディレクトリ下にフォルダを設けて保存する手段と、一般ユーザモードにて撮影された画像情報ファイルを一般ユーザモードのディレクトリ下にフォルダを設けて保存する手段とを有することを特徴とするビデオカメラ。
【請求項６】
請求項２乃至５のいずれか１項に記載のビデオカメラにおいて、
ヘッダコード変更手段によりヘッダコード値が変更された場合、特定ユーザモードに保存されている既ヘッダコード値を、変更後の値に自動的に書き換えることを特徴とするビデオカメラ。
【請求項７】
請求項５記載のビデオカメラにおいて、
一般ユーザモード下のフォルダにある画像情報ファイルを特定ユーザモード下のフォルダに移動する一般ファイル移動手段と、特定ユーザモード下のフォルダにある画像情報ファイルを一般ユーザモード下のフォルダに移動する特定ファイル移動手段とを有することを特徴とするビデオカメラ。
【請求項８】
請求項７記載のビデオカメラにおいて、
上記一般ファイル手段又は特定ファイル移動手段に基づき、移動した画像情報ファイルのヘッダコード値を、移動先のモード選択のヘッダコード値に自動的に書き換えることを特徴とするビデオカメラ。
【請求項９】
請求項７記載のビデオカメラにおいて、
一般ユーザモードから特定ユーザモード下に移動する場合、特定ユーザモード下の画像情報ファイルにあるヘッダコードの値を変更する変更手段を有することを特徴とするビデオカメラ。
【請求項１０】
請求項８又は９に記載のビデオカメラにおいて、
ヘッダコードの値を変更する手段は、正しいパスワードが入力されると、ヘッダコードの値を変更することを特徴とするビデオカメラ。
【請求項１１】
請求項３又は１０に記載のビデオカメラにおいて、
正しいパスワードを記憶するパスワード記憶部を本体内部に具備することを特徴とするビデオカメラ。
【発明の詳細な説明】
【０００１】
【発明の属する技術分野】
本発明は、ビデオカメラであり、着脱可能な記録媒体を備えたビデオカメラで撮影した画像の再生許可或いは再生禁止を設定する技術に関する。
【０００２】
【従来の技術】
従来のこの種の記録再生装置でも、記録再生装置として光ディスク記録再生装置やハードディスク記録再生装置、テープ記録再生装置を交換して使用し、ＭＰＥＧ２のようなデジタル動画圧縮／伸長方式で記録されるビデオカメラについて示されている。また、下記特許文献１では撮影者別にパスワードを設定することにより画像の機密性を守る手段が示されている。
【０００３】
【特許文献１】
特開２００２−２１８３８９号公報
【０００４】
【発明が解決しようとする課題】
しかしながら従来の技術においては、ユーザが他人に公開したくない映像であっても記録再生装置を交換すれば、他のビデオカメラで再生出来てしまうという問題がある。一方、上記特許文献１に記載の技術においては、パスワードを設定して撮影した画像を再生するためには、パスワードの入力が必要となりユーザの手間が増えるという問題がある。また、パスワードを入力する代わりに指紋検出でユーザを特定する手段も示されているが、この場合もユーザがいちいち指紋検出窓に指をあてがう必要があったり、指紋検出にかかる時間や指紋検出をするためのコストなど問題点が多い。また、一度パスワードを設定して撮影した画像をパスワードなしで見られるようにする手段がないため、撮影した画像を他人に見せたくなったような場合、パスワードを公開する必要があるという問題がある。
【０００５】
本発明は以上述べたような従来技術の問題点に鑑みてなされたものであり、ユーザが他人に見られたくないような映像を容易に見られないようにすることが可能であり、かつ撮影した機器で再生する場合はパスワード入力などの特別な手続きなしに再生することが可能な着脱可能な記録媒体を備えたビデオカメラを提供するものである。
【０００６】
【課題を解決するための手段】
上述した課題を解決するために、本発明は、撮像した画像情報を着脱可能な記録媒体に記録するビデオカメラにおいて、一般ユーザと特定ユーザとを選択するモード選択手段と、前記モード選択手段により特定ユーザモードにて記録された画像情報が保存された記録媒体を他のビデオカメラで再生禁止する手段とを有することを特徴とする。
【０００７】
また、本発明は、撮像した画像情報を着脱可能な記録媒体に記録するビデオカメラにおいて、ユーザの選択操作により一般ユーザモード情報又は特定ユーザモード情報を受付けるモード選択手段と、画像情報を保存する記録媒体に、モード選択手段により受付けた特定ユーザモード情報を記録する不正再生禁止記録手段と、記録媒体に記録された特定ユーザモード情報と、入力された特定ユーザモード情報とを比較して一致するときに、前記記録媒体に記録された画像情報を再生する特定ユーザ再生手段とを有することを特徴とする。
【０００８】
そして、本発明は、前記発明において、前記特定ユーザモードにて記録された画像情報を他のビデオカメラで再生禁止する手段は、特定ユーザモード選択時に、画像情報ファイルのヘッダコードの値を変更するヘッダコード値変更手段と、前記ヘッダコードの値を変更するためのパスワード入力手段とから構成されることを特徴とする。
【０００９】
更に、本発明は、前記発明において、前記特定ユーザモード選択時で撮影する際、画像情報ファイルのヘッダコード値を、デフォルト設定記憶部から取得するデフォルト値取得手段を有することを特徴とする。
【００１０】
また、本発明は、前記発明において、特定ユーザモードにて撮影された画像情報ファイルを特定ユーザモードのディレクトリ下にフォルダを設け保存する手段と、一般ユーザモードにて撮影された画像情報ファイルを一般ユーザモードのディレクトリ下にフォルダを設け保存する手段とを有することを特徴とする。
【００１１】
そして、本発明は、前記発明において、ヘッダコード変更手段によりヘッダコード値が変更された場合、特定ユーザモードに保存されている既ヘッダコード値を、前記の変更値に自動的に書き換えることを特徴とする。
【００１２】
更に、本発明は、前記発明の一般ユーザモード下のフォルダにある画像情報ファイルを特定ユーザモード下のフォルダに移動するファイル移動手段と、特定ユーザモード下のフォルダにある画像情報ファイルを一般ユーザモード下のフォルダに移動するファイル移動手段とを有することを特徴とする。
【００１３】
また、本発明は、前記発明のファイル移動手段に基づき、移動した画像情報ファイルのヘッダコード値を、移動先のモード選択のヘッダコード値に自動的に書き換えることを特徴とする。
【００１４】
そして、本発明は、前記発明のファイルのファイル移動先が一般ユーザモードから特定ユーザモード下に移動する場合、特定ユーザモード下の画像情報ファイルにあるヘッダコードの値を変更する変更手段を有することを特徴とする。
【００１５】
更に、本発明は、前記発明のヘッダコード値変更手段において、パスワード入力手段を有することを特徴とする。
【００１６】
また、本発明は、前記発明のパスワード入力を記憶するパスワード記憶部をビデオカメラ本体内部に具備することを特徴とする。
【００１７】
【発明の実施の形態】
本発明の実施の形態を説明する。
本発明のビデオカメラの一実施形態について、着脱可能な記録媒体としてＨＤＤ（ハードディスク）を用いた交換型ビデオカメラに関し、図１に基づき以下説明する。
【００１８】
図１は交換型ＨＤＤ内蔵ビデオカメラのブロック図を示す。交換型ＨＤＤ内蔵ビデオカメラは、ＣＣＤ，ＡＧＣなどを含む画像入力部１０１，ＹＵＶ信号を生成する信号処理部１０２、システム全体を制御する制御部１０３，ＤＭＡコントローラ１０４、メモリ１０５、画像圧縮伸長部１０６、圧縮データをメディアに記録、読み出しする記録読み出し部１０７、交換型ＨＤＤ１０８、表示部インターフェイス１０９、ディスプレイ１１０、モードスイッチ１１１、デフォルト設定記憶部１１２、ヘッダ設定部１１３、パスワード入力部１１４、パスワード記憶部１１５を備える。
【００１９】
まず、撮影前の動作について、図２のフロー図を用いて説明する。あらかじめユーザはパスワード入力部１１４を用いて、各ヘッダコードの値を設定する場合（Ｓ１）やフォルダ間でファイルを移動する場合に必要となるパスワードを設定しパスワード記憶部１１５に記憶する（Ｓ２）。次に、ヘッダ設定部１１３を用いて、プライベートモードで撮影する際に使用する各ヘッダコードの値を設定する（Ｓ３）。ユーザが何も設定しない場合はデフォルト設定記憶部１１２に記憶されたパスワードおよび各ヘッダコードの値が使用されることになる（Ｓ４）。
【００２０】
次に、本実施形態の交換型ＨＤＤ１０８のディレクトリ構成について説明する。図３は本実施形態の交換型ＨＤＤ１０８のディレクトリ構成を示す。ルートディレクトリ２００の下にモードスイッチ１１１を「ノーマル」２０１に合わせた状態で撮影した動画ファイル（以下、「ノーマルファイル」という）を保存するノーマルフォルダ（ＮＯＲＭＡＬ０１〜ｎ）とモードスイッチ１１１を「プライベート」２０２に合わせた状態で撮影した動画ファイル（以下、「プライベートファイル」という）を保存するプライベートフォルダ（ＰＲＡＩＮＥ０１〜ｎ）を持つ。プライベートフォルダには交換型ＨＤＤを他の交換型ＨＤＤ内蔵ビデオカメラにつないだ場合でも再生が出来ないように、通常のＭＰＥＧファイルとは異なるユーザが任意に設定した値がヘッダに書き込まれたプライベートファイルがプライベートディレクトリ下に複数保存されることになる。
【００２１】
次に、ユーザがモードスイッチ１１１を「プライベート」に合わせた状態で撮影を開始した場合の動作について説明する。モードスイッチ１１１を「プライベート」に合わせた状態で撮影を開始すると、被写体の光信号は画像入力部１０１に入力され、光電変換されてアナログ映像信号となり、ＡＧＣ等の処理を施され信号処理部１０２へ出力される。信号処理部１０２に入力された映像信号は、Ａ／Ｄ変換されデジタル信号に変換されるとともに、ガンマ補正、フィルタリング、輪郭強調処理等の処理が施され、Ｙ（輝度）、Ｕ（赤の色差）、Ｖ（青の色差）信号が生成される。制御部１０３はプログラムに基づいて生成されたＹ、Ｕ、Ｖ信号をメモリ１０５に記憶する。
【００２２】
次に、記憶されたデジタル映像信号は、ＤＭＡコントローラ１０４を介して画像圧縮伸長部１０６へ読み出され圧縮処理される。この際、シーケンスヘッダやＧＯＰヘッダなどの各ヘッダは通常のＭＰＥＧの各ヘッダ（以下、「ノーマルヘッダ」という）とは異なり、あらかじめヘッダ設定部１１３に設定された各ヘッダの値（以下、「ユーザヘッダ」という）を使用する。次に、圧縮されたデータは、一旦メモリ１０５に記憶された後、制御部１０３により所定のフォーマットに従って、ファイルヘッダ情報を付けられた後に、記録読み出し部１０７を介して交換型ＨＤＤ１０８のプライベートフォルダにプライベートファイルとして記録される。
【００２３】
次に、ある交換型ＨＤＤ内蔵ビデオカメラＡで撮影されたプライベートファイルＡを再生する場合の動作について、図４のフロー図を用いて説明する。交換型ＨＤＤ１０８に記録されているプライベートファイルＡ（Ｓ１０）は、記録読み出し部１０７により読み出され、ＤＭＡコントローラ１０４を介してメモリ１０５に記憶される。次に、メモリ１０５に書き込まれた画像データはメモリ１０５からＤＭＡコントローラ１０４を介して画像圧縮伸長部１０６に送られて伸長処理されて、再びメモリ１０５に記憶される。ここで、交換型ＨＤＤ内蔵ビデオカメラＡで再生する場合は（Ｓ１１）ヘッダコード設定部１１３に設定されているユーザヘッダとプライベートファイルＡに書き込まれた各ヘッダは一致する（Ｓ１２）ので画像圧縮伸長部１０６で正しく伸長処理を行うことが出来る（Ｓ１３）。一方、交換型ＨＤＤ内蔵ビデオカメラＡ以外（以下、「交換型ＨＤＤ内蔵ビデオカメラＢ」という）で再生しようとした場合（Ｓ１４）は、交換型ＨＤＤ内蔵ビデオカメラＢのヘッダコード設定部１１３に設定されているユーザヘッダとプライベートファイルＡに書き込まれた各ヘッダは一致しない（Ｓ１５）ので、画像圧縮伸長部１０６でヘッダを見つけることが出来ず伸長処理を行うことが出来ない（Ｓ１６）。
【００２４】
次に、ユーザヘッダコードの値を変更する場合の動作について、図５のフロー図を用いて説明する。あらかじめプライベートフォルダにはユーザヘッダ１を用いて圧縮されたプライベートファイルが保存されているものとする（Ｓ２０）。まず、ユーザはパスワード入力部１１４を介してパスワードを入力する（Ｓ２１）。入力したパスワードがパスワード記憶部１１５に記憶されたパスワードと一致する場合（Ｓ２２）のみユーザヘッダの値の変更が可能となる。次に、ユーザがヘッダコード設定部１１３を用いて各ヘッダコードの値をユーザヘッダ２に変更する（Ｓ２３）。同時に、制御部１０３はプライベートフォルダに記録された全てのプライベートファイルの各ヘッダ値をユーザヘッダ１からユーザヘッダ２に自動的に変更する（Ｓ２４）。これによりユーザがユーザヘッダの値を変更した場合でも、以前に撮影したプライベートファイルを再生することが可能となる。
【００２５】
最後に、ノーマルフォルダとプライベートフォルダの間でファイルを移動する場合の動作について、図６のフロー図を用いて説明する。最初に、ユーザはパスワード入力部１１４を介してパスワードを入力する（Ｓ３０）。入力したパスワードがパスワード記憶部１１５に記憶されたパスワードと一致する場合（Ｓ３１）のみフォルダ間のファイル移動が可能となる。次に、ユーザがノーマルフォルダのノーマルファイルをプライベートフォルダに移動する（Ｓ３２）。同時に、制御部１０３は移動したノーマルファイルの各ヘッダコード値をヘッダコードコード設定部１１３に設定されているユーザヘッダの値に変更する（Ｓ３３）。
【００２６】
一方、ユーザがプライベートフォルダのプライベートファイルをノーマルフォルダに移動する場合（Ｓ３５）、制御部１０３はプライベートファイルの各ヘッダコード値をユーザヘッダからノーマルヘッダに変更する（Ｓ３６）。これによりノーマルフォルダに移動したファイルは別の交換型ＨＤＤ内蔵ビデオカメラでも再生可能となるし（Ｓ３７）、プライベートフォルダに移動したファイルは別の交換型ＨＤＤ内蔵ビデオカメラでは再生不可とする（Ｓ３４）ことが容易に可能となる。
【００２７】
上述の説明から容易に理解できるように、本実施形態によれば、ユーザが他人に公開したくない画像（映像）を他の着脱可能な記録媒体を有するビデオカメラでは再生出来ないように記録することが可能であり、かつ撮影した機器で再生する場合はパスワード入力などの特別な手続きなしに再生することが可能となり使い勝手の良い着脱可能な記録媒体を有するビデオカメラが実現できる。
【００２８】
【発明の効果】
本発明によれば、ユーザが他人に見られたくないような映像を容易に見られないようにすることが可能であり、かつ撮影した機器で再生する場合はパスワード入力などの特別な手続きなしに再生することが可能な着脱可能な記録媒体を備えたビデオカメラを得ることができる。
【図面の簡単な説明】
【図１】実施形態の交換型ＨＤＤ内蔵ビデオカメラの構成を示す図。
【図２】実施形態の撮影前のフロー図。
【図３】実施形態の交換型ＨＤＤ内蔵ビデオカメラのディレクトリ構成を示す図。
【図４】実施形態のプライベートファイルを再生する場合のフロー図。
【図５】実施形態のユーザヘッダの値を変更する場合のフロー図。
【図６】実施形態のフォルダ間でファイルを移動する場合のフロー図。
【符号の説明】
１０１  画像入力部
１０２  信号処理部
１０３  制御部
１０４  ＤＭＡコントローラ
１０５  メモリ
１０６  画像圧縮伸長部
１０７  記録読み出し部
１０８  交換型ＨＤＤ
１０９  表示部インターフェイス
１１０  ディスプレイ
１１１  モードスイッチ
１１２  デフォルト設定記憶部
１１３  ヘッダ設定部
１１４  パスワード入力部
１１５  パスワード記憶部
【図１】
2005005754.tif 000003
【図２】
2005005754.tif 000004
【図３】
2005005754.tif 000005
【図４】
2005005754.tif 000006
【図５】
2005005754.tif 000007
【図６】
2005005754.tif 000008